(57)【要約】      （修正有）【課題】第一給紙トレイにセットされた用紙が無くなるまで、倍速モードによる印刷処理の実行が可能な孔版印刷装置を提供する。【解決手段】用紙少量検知センサ１７により第一給紙トレイ６の用紙残量が少量（所定量以下）であることを検知すると、孔版印刷装置１００は、第二給紙トレイ２６より縦搬送用紙先端検知センサ３５に検知されるまで印刷用紙２７を搬送し、縦搬送用紙先端検知センサ３５に検知されると印刷用紙２７を待機させる。そして、用紙有無検知センサ１６により第一給紙トレイ６の用紙切れを検知すると、孔版印刷装置１００は、第一給紙トレイ６から給紙された最終用紙（印刷用紙４）が円筒状版胴３に巻装された孔版原紙１に形成された製版画像の１面目に対応することを条件に、待機させておいた印刷用紙２７を円筒状版胴３に巻装された孔版原紙１に形成された製版画像の２面目に合わせて搬送するよう制御する。【選択図】図１
2015160419.tif 000002
【特許請求の範囲】
【請求項１】
版胴を備え、倍速モードによる印刷処理が可能な孔版印刷装置であって、
用紙をセットするための第１及び第２の給紙手段と、
前記第１の給紙手段にセットされる用紙の所定量以下の残量を検知する用紙残量検知手段と、
倍速モードにおいて、前記第１の給紙手段から搬送される最終用紙が版胴１回転における製版画像の１面目に対応して印刷されるか否かを判定する製版印刷面判定手段と、
前記用紙残量検知手段が所定量以下の用紙の残量を検知したとき、前記第２の給紙手段にセットされた用紙を所定の待機位置まで搬送し、前記製版印刷面判定手段が、前記第１の給紙手段から搬送される最終用紙が版胴１回転における製版画像の１面目に対応して印刷されると判定したとき、前記所定の待機位置の用紙を、版胴１回転における製版画像の２面目に対応する印刷位置に搬送するよう制御する搬送制御手段と、
を有する孔版印刷装置。
【請求項２】
請求項１に記載された孔版印刷装置において、
前記搬送制御手段は、印刷処理が中断、又は終了することを条件に、前記所定の待機位置にある用紙を、排出するよう制御する孔版印刷装置。
【請求項３】
請求項２に記載された孔版印刷装置において、
前記搬送制御手段は、前記所定の待機位置で待機状態にある用紙を、次回の印刷処理時であって、かつ前記製版印刷面判定手段により、前記第１の給紙手段から搬送される最終用紙が版胴１回転における製版画像の１面目に対応して印刷されると判定したとき、版胴１回転における製版画像の２面目に対応する印刷装置に搬送するよう制御する孔版印刷装置。
【請求項４】
請求項２に記載された孔版印刷装置において、
前記所定の待機位置で待機させた用紙の印刷要否を判定する用紙要否判定手段を有し、
前記搬送制御手段は、前記所定の待機位置で待機状態にある用紙を、次回の印刷処理時であって、かつ前記用紙要否判定手段により不要と判定したとき、排出するよう制御する孔版印刷装置。
【請求項５】
請求項１または３に記載された孔版印刷装置において、
前記搬送制御手段は、設定された印刷部数の印刷完了前に、前記第１の給紙手段が用紙切れになったとき、前記第２の給紙手段から用紙を印刷位置に搬送するよう制御する孔版印刷装置。
【請求項６】
請求項１に記載された孔版印刷装置において、
前記搬送制御手段は、前記第２の給紙手段にセットされた用紙サイズが、倍速モードによる印刷処理時に前記第１の給紙手段から搬送される用紙サイズと同等、又はそれより大きい場合であって、かつ倍速モードにおける印刷処理に使用可能な最大サイズを超えない場合に、前記第２の給紙手段にセットされた用紙を前記所定の待機位置まで搬送するよう制御する孔版印刷装置。
【請求項７】
版胴と、用紙をセットするための第１及び第２の給紙手段と、を有する、倍速モードによる印刷処理が可能な孔版印刷装置における孔版印刷方法であって、
前記第１の給紙手段にセットされる用紙の所定量以下の残量を検知する用紙残量検知工程と、
前記用紙残量検知工程において所定量以下の用紙残量を検知したとき、前記第２の給紙手段にセットされた用紙を所定の待機位置まで搬送するよう制御する第１の搬送制御工程と、
倍速モードにおいて前記第１の給紙手段から搬送される最終用紙が版胴１回転における製版画像の１面目に対応して印刷されるか否かを判定する製版印刷面判定工程と、
前記製版印刷面判定工程において前記第１の給紙手段から搬送される最終用紙が版胴１回転における製版画像の1面目に対応して印刷されると判定したとき、前記所定の待機位置の用紙を、版胴１回転における製版画像の２面目に対応する印刷位置に搬送するよう制御する第２の搬送制御工程と、
を有する孔版印刷方法。
【請求項８】
孔版印刷装置のコンピュータに、請求項７に記載された孔版印刷方法の用紙残量検知工程、製版印刷面判定工程、並びに第１及び第２の搬送制御工程を実行させるためのプログラム。
【発明の詳細な説明】
【技術分野】
【０００１】
本発明は、版胴が１回転する間に２枚の印刷物を出力すること、つまり倍速モードによる印刷処理が可能な孔版印刷装置、孔版印刷方法及びプログラムに関し、特に給紙トレイにセットされた用紙が無くなるまで倍速モードによる印刷処理を実行できる孔版印刷装置、孔版印刷方法及びプログラムに関する。
【背景技術】
【０００２】
従来から、感熱デジタル式の孔版印刷装置が知られている。この孔版印刷装置では、先ず、熱可塑性樹脂フィルムと、和紙繊維、合成繊維等からなる多孔質支持体とを貼り合わせたラミネート構造の孔版原紙を用意する。次に、この孔版原紙をサーマルヘッドの発熱素子に接触させて加熱穿孔・製版して樹脂あるいは金属網体製のメッシュスクリーンを作成する。さらに、作成したメッシュクリーンを複数巻着した構成の回転可能な版胴に巻装し、版胴内部に設けられたインキ供給部材よりインキを供給する。その状態でプレスローラ等の押圧手段で版胴に巻装された孔版原紙に用紙を連続的に押し付け、孔版原紙の穿孔部分よりインキを滲み出させて印刷を行う。
【０００３】
また、孔版印刷装置には、孔版原紙に２面の製版画像を形成し、版胴の回転するタイミングに合わせて、２枚の印刷用紙を各製版画像に対応するように連続的に搬送し、版胴が１回転する間に２枚の印刷物を出力すること、つまり倍速モードによる印刷処理が可能なものが知られている（特許文献１）。
【０００４】
倍速モードによる印刷処理では、孔版原紙に製版画像を２面に並べて製版する。そのため、印刷可能な用紙サイズとして最大でＡ４サイズまでしか許容されないが、最高印刷速度は２４０枚／分（版胴の回転速度が１２０ｒｐｍ）になる。一方、版胴が１回転する間に１枚の印刷物を出力する、通常モードによる印刷処理では、印刷が可能な用紙サイズとして最大でＡ３サイズまで許容されるが、最高印刷速度は１２０枚／分（版胴の回転速度が１２０ｒｐｍ）となり、倍速モードによる印刷処理と比べると印刷速度が遅くなる（一定時間における印刷可能枚数が少なくなる）。
ところで、倍速モードによる印刷処理の製版工程では、１枚のＡ４サイズの画像をメモリから取り出して、製版画像の１面目及び２面目として並べて製版することが一般的であるが、文書等を印刷する際に、１ページ目のＡ４画像を製版画像の１面目として製版し、２ページ目のＡ４画像を製版画像の２面目として製版することも可能である。この場合、孔版印刷装置は、印刷した用紙をページ順に丁合いして排紙台に積載する。
【０００５】
この従来の孔版印刷装置では、版胴の回転に同期して回転する印圧カムを用いて、版胴が１回転すると、プレスローラが版胴の開口部の全域にわたって押圧するようにプレスローラの版胴に対する切離を制御している。また、この押圧は途中で解除することはできない。
【０００６】
そのため、孔版原紙に２面の製版画像が形成されている場合であって、かつ給紙トレイに印刷用紙が１枚しかセットされていない場合（孔版原紙に形成された製版画像の２面目に対応する印刷用紙を給紙することができない場合）には、プレスローラは、版胴に巻装された孔版原紙に接触することになり、その結果、孔版原紙表面に供給されたインキにより汚れるという問題があった。
【０００７】
そこで、上記問題を解消するため、孔版原紙に形成された製版画像の２面目に対応する印刷用紙が供給されていないことを検知すると、プレスローラによる押圧を緊急的に解除する緊急押圧解除手段を備えた孔版印刷装置が提案された（特許文献２）。
特許文献２に記載された孔版印刷装置では、孔版原紙に形成された製版画像の２面目に対応する印刷用紙が供給されていない場合、プレスローラの押圧を緊急的に解除するので、プレスローラが孔版原紙に接触して汚れるという問題は解消される。
しかしながら、特許文献２に記載された孔版印刷装置では、給紙トレイから搬送される最終用紙が孔版原紙に形成された製版画像の１面目に対応する場合（孔版原紙に形成された製版画像の２面目に対応する印刷用紙が供給されない場合）、他の給紙トレイに適合する用紙が収容されているか否かに関わらず、プレスローラの押圧を緊急的に解除し、印刷処理を一時的に中断する。そのため、仮に、他の給紙トレイに適合する用紙があったとしても、当該給紙トレイに製版画像の２枚目に対応する印刷用紙が供給されるまでは、倍速モードでの印刷は完了しない。
【発明の概要】
【発明が解決しようとする課題】
【０００８】
本発明は、前記従来の問題に鑑みてなされたものであって、その目的は、倍速モードによる印刷処理において、給紙トレイにセットされた最後の印刷用紙が製版画像の１面目に対応する場合であっても、印刷処理を中断することなく倍速モードによる印刷処理を実行できるようにすることである。
【課題を解決するための手段】
【０００９】
本発明は、版胴を備え、倍速モードによる印刷処理が可能な孔版印刷装置であって、用紙をセットするための第１及び第２の給紙手段と、前記第１の給紙手段にセットされる用紙の所定量以下の残量を検知する用紙残量検知手段と、倍速モードにおいて、前記第１の給紙手段から搬送される最終用紙が版胴１回転における製版画像の１面目に対応して印刷されるか否かを判定する製版印刷面判定手段と、前記用紙残量検知手段が所定量以下の用紙の残量を検知したとき、前記第２の給紙手段にセットされた用紙を所定の待機位置まで搬送し、前記製版印刷面判定手段が、前記第１の給紙手段から搬送される最終用紙が版胴１回転における製版画像の１面目に対応して印刷されると判定したとき、前記所定の待機位置の用紙を、版胴１回転における製版画像の２面目に対応する印刷位置に搬送するよう制御する搬送制御手段と、を有する孔版印刷装置に関する。
【発明の効果】
【００１０】
本発明によれば、倍速モードによる印刷処理において、給紙トレイにセットされた最後の印刷用紙が製版画像の１面目に対応する場合であっても、印刷処理を中断することなく倍速モードによる印刷処理を実行することができる。
【図面の簡単な説明】
【００１１】
【図１】本発明の実施形態に係る孔版印刷装置の概略構成を示す図である。
【図２】本発明の実施形態に係る孔版印刷装置の給紙可否の判定処理に関するフロー図である。
【図３】本発明の実施形態に係る孔版印刷装置の給紙準備動作処理に関するフロー図である。
【図４】本発明の実施形態に係る孔版印刷装置の倍速モードにおける印刷処理に関する第二給紙トレイ搬送経路上に待機させておいた用紙の取り扱い手順を説明するフロー図である。
【図５】本発明の実施形態に係る孔版印刷装置の倍速モードにおける印刷処理を示す図である。
【発明を実施するための形態】
【００１２】
以下、本発明の実施形態について図面を参照して説明する。
図１は、孔版印刷装置の概略構成を示す図である。
孔版印刷装置１００は、図１に示すように、第一給紙部２００、第二給紙部３００、印刷部４００、及び排紙部５００から主に構成される。なお、画像読み取り部、及び製版部に関しては、説明を簡略にするため図示していない。
【００１３】
孔版印刷装置１００の図示右部に配置されている第一給紙部２００は、第一給紙トレイ６、ピックアップコロ７、給紙フィードコロ８、分離パッド９、下レジストレーションローラ（以下、レジストローラ）１１、上レジストローラ１２、固定上ガイド板１３、固定下ガイド板１４、用紙先端検知センサ１５、用紙有無検知センサ１６、用紙少量検知センサ１７等を有している。
【００１４】
上面に印刷用紙４を積載する第一給紙トレイ６は、図示しない昇降手段により上下動可能に支持されており、第一給紙トレイ６の位置が最上段に位置すると、用紙少量検知センサ１７により第一給紙トレイ６の用紙残量が少ないことが検知される。
また、第一給紙トレイ６には、第一給紙トレイ６上に積載された印刷用紙４の有／無（用紙切れ）を検知するための用紙有無検知センサ１６が設けられている。
【００１５】
第一給紙トレイ６の上方には、印刷用紙４を搬送するためのピックアップコロ７及び給紙フィードコロ８、並びに印刷用紙４を１枚ずつに分離するための分離パッド９が配置されている。
【００１６】
分離パッド９の左方には下レジストローラ１１及び上レジストローラ１２が対向するように配置され、さらに、そのレジストローラ対１１及び１２の搬送経路前後には、印刷用紙４（及び、印刷用紙２７）をガイド（案内）するための固定上ガイド板１３及び固定下ガイド板１４が所定の間隔を設けて平行に配置されている。
また、レジストローラ対１１及び１２の直前には、レジストローラ（１１及び１２）に印刷用紙４（又は、印刷用紙２７）が到達したことを検知するための用紙先端検知センサ１５が配置されている。
【００１７】
孔版印刷装置１００の下部に配置されている第二給紙部３００は、第二給紙トレイ２６、ピックアップコロ２８、給紙フィードコロ２９、分離パッド３０、第一搬送ローラ３１及び３２、第二搬送ローラ３３及び３４、縦搬送用紙先端検知センサ３５、縦搬送ガイド板３６等を有している。
また、第二給紙部３００は、第一給紙部２００の用紙切れに応じて印刷部４００に補助的に搬送する用紙をセットするために設置されている。
【００１８】
第二給紙トレイ２６は、第一給紙トレイ６と同様に、図示しない昇降手段により上下動可能に支持されており、その上面に印刷用紙２７を積載する。
第二給紙トレイ２６の上方には、印刷用紙２７を搬送するためのピックアップコロ２８及び給紙フィードコロ２９、並びに印刷用紙２７を１枚ずつに分離するための分離パッド３０が配置されている。
【００１９】
分離パッド３０の上方には、さらに、第一搬送ローラ３１及び３２、第二搬送ローラ３３及び３４、並びに分離パッド３０から第一搬送ローラ３１及び３２に印刷用紙２７をガイドする縦搬送ガイド板３６が配置されている。
また、第一搬送ローラ対３１及び３２から第二搬送ローラ対３３及び３４までの搬送経路途中には、第二給紙トレイ２６から搬送された印刷用紙２７を検知するための縦搬送用紙先端検知センサ３５が設置されている。
【００２０】
第一給紙部２００の左方には、印刷部４００が配置されている。印刷部４００は、円筒状版胴３、押圧部材としてのプレスローラ５等を有している。
孔版原紙１が外周面に巻装される円筒状版胴３は、図示しない版胴駆動手段により回転駆動される。
インキ溜まり２は、円筒状版胴３の支軸（不図示）から滴下されるインキにより断面楔状に形成され、インキローラ１９とドクターローラ２０との間隙を通過する際に薄層化され、インキローラ１９の外周面を介して円筒状版胴３の内周面に供給される。
【００２１】
プレスローラ５は、孔版原紙１を円筒状版胴３の外周面の凸部（孔版原紙１を原紙クランパ１８によりクランプしたときに円筒状版胴３の外周面に形成される凸部）との衝突を回避するために、不図示のカム機構により上下方向に往復して搖動される。
プレスローラ５が上方向に揺動されると、印刷部４００に搬送された印刷用紙４（又は、印刷用紙２７）が円筒状版胴３の外周面に押圧される。
【００２２】
印刷部４００の左方には、排紙部５００が配置されている。排紙部５００は、剥離爪１０、エアー吸引ベルト式排紙搬送装置２１により主に構成される。
剥離爪１０は、その先端部が円筒状版胴３の外周面に近接する位置と離間する位置に搖動可能に設けられ、印刷用紙４（又は、印刷用紙２７）を円筒状版胴３上の製版済みの孔版原紙１から剥離する。
【００２３】
エアー吸引ベルト式排紙搬送装置２１は、２本のローラ２２及び２３と、ローラ２２及び２３に掛け渡された複数本の無端穴あきベルト２４と、無端穴あきベルト２４の穴から印刷用紙４の裏面を吸引するためのエアー吸引装置２５とからなる。
エアー吸引ベルト式排紙搬送装置２１は、印刷用紙４（又は、印刷用紙２７）を不図示の排紙トレイに排紙する。
【００２４】
また、本実施形態に係る孔版印刷装置１００は、１ドラム２面製版による両面印刷機能を有しており、その機能に関連する切替爪部材４３及び両面印刷用反転トレイ部４４は印刷部４００の左下方に配置されている。
【００２５】
切替爪部材４３は、両面印刷時の印刷後の用紙搬送経路を切り替えるための部材であり、（不図示の機構により）揺動可能になっている。
両面印刷用反転トレイ部４４は、２本のローラ３７及び３８と、ローラ３７及び３８に掛け渡された複数本の無端穴あきベルト３９と、無端穴あきベルト３９の穴から印刷用紙４（又は、印刷用紙２７）の裏面を吸引するためのエアー吸引装置４０と、再給紙コロ４１とからなる。
【００２６】
切替爪部材４３は、印圧部において片面が印刷された印刷用紙４（又は、印刷用紙２７）を両面印刷用反転トレイ部４４に搬送方向を切り替える。
切替爪部材４３により、搬送方向が両面印刷用反転トレイ部４４に切り替えられると、無端穴あきベルト３９は、印刷用紙４（又は、印刷用紙２７）の先端がストッパ４２により停止させられるまで、印刷用紙４（又は、印刷用紙２７）を搬送する。
ストッパ４２により停止させられた印刷用紙４（又は、印刷用紙２７）は、もう片方の面を印刷する円筒状版胴３が回転するタイミングに合わせて、再給紙コロ４１を不図示のソレノイドによりプレスローラ５に接触させることで、ガイド板４５によりガイドされながらプレスローラ５の外周に沿って搬送される。
【００２７】
なお、図中には理解を補助するために印刷用紙４、及び／又は印刷用紙２７の搬送経路に符号「Ａ」〜「Ｇ」を付している。ここで、「Ａ」は第一給紙トレイ６から搬送される用紙経路を示し、「Ｂ」は第二給紙トレイ２６から搬送される用紙経路を示し、「Ｃ」はレジストローラ対１１及び１２から搬送される用紙経路を示し、「Ｄ」は両面印刷時に両面印刷用反転トレイ部４４に搬送される用紙経路を示し、「Ｅ」は両面印刷用反転トレイ部４４からプレスローラ５外周に沿って搬送される用紙経路を示し、「Ｆ」は排出トレイに排出される用紙経路を示す。
【００２８】
次に、孔版印刷装置１００の倍速モードにおける印刷処理を説明する。
孔版印刷装置１００は、第一給紙部２００において、第一給紙トレイ６にセットされた印刷用紙４を、ピックアップコロ７と給紙フィードコロ８を回転駆動することにより搬送し、さらに分離パッド９により重送しないように１枚ずつに分離する。
ここで、孔版印刷装置１００は、円筒状版胴３に巻装された孔版原紙１に形成された製版画像の１面目に対応する印刷用紙４を分離パッド９により分離すると、ピックアップコロ７を回転駆動して、円筒状版胴３に巻装された孔版原紙１に形成された製版画像の２面目に対応する印刷用紙４の搬送を開始する。
【００２９】
そして、分離パッド９により分離された印刷用紙４がレジストローラ対１１及び１２の直前に設置された用紙先端検知センサ１５により検知されると、孔版印刷装置１００は、円筒状版胴３が回転するタイミングに合わせて（円筒状版胴３に巻装された孔版原紙１に形成された製版画像の１面又は２面に合わせて）印刷用紙４が搬送されるように、下レジストローラ１１の回転駆動タイミングを制御する。
なお、上レジストローラ１２は、下レジストローラ１１を回転駆動すると、下レジストローラ１１に押し付けられながら従動回転する。
【００３０】
レジストローラ対１１及び１２を回転駆動することにより搬送された印刷用紙４は、固定上ガイド板１３と固定下ガイド板１４により、印刷部４００にガイドされる。印刷用紙４が印刷部４００にガイドされると、プレスローラ５は、印刷用紙４を円筒状版胴３の外周面に押圧することにより、円筒状版胴３の内部から孔版原子１の穿孔部を通過させたインキを印刷用紙４に転移させて印刷画像を形成させる。
なお、印刷画像を形成させる前に（インキを供給する前に）、スキャナで読み取られた画像情報に従って（不図示の）製版装置のサーマルヘッドにより穿孔製版された孔版原紙１を、円筒状版胴３の外周面の一部に設けられた原紙クランパ１８によりクランプした上で、円筒状版胴３の外周面に巻装しておく。
【００３１】
印刷画像が形成されると、印刷用紙４は、剥離爪１０により円筒状版胴３から剥離され、エアー吸引ベルト式排紙搬送装置２１により図示しない排紙台に搬送される。
孔版印刷装置１００は、以上に示した倍速モードにおける印刷処理を、ユーザにより指定された印刷部数が完了するまで、繰り返し実行する。
【００３２】
印刷処理が継続して実行されることに伴い、第一給紙トレイ６の印刷用紙４が消費される。用紙少量検知センサ１７により第一給紙トレイ６の用紙残量が少量（予め定めた所定量以下）であることが検知されると、孔版印刷装置１００は、所定の条件下で、第二給紙トレイ２６にセットされている印刷用紙２７の給紙準備動作に移行する。（なお、給紙準備動作に移行する条件は、図２を用いて後述する。）
【００３３】
具体的には、用紙少量検知センサ１７により第一給紙トレイ６の用紙残量が少量であることを検知すると、孔版印刷装置１００は、先ず、第二給紙部３００において、第二給紙トレイ２６にセットされた印刷用紙２７を、ピックアップコロ２８と給紙フィードコロ２９を回転駆動することにより搬送し、分離パッド３０により重送しないように１枚に分離する。
分離パッド３０により印刷用紙２７を１枚に分離すると、孔版印刷装置１００は、次に、印刷用紙２７を縦搬送ガイド板３６により第一搬送ローラ対３１及び３２にガイドし、さらに印刷用紙２７の先端が縦搬送用紙先端検知センサ３５により検知されるまで第一搬送ローラ対３１及び３２を回転駆動させる。
【００３４】
印刷用紙２７の先端を縦搬送用紙先端検知センサ３５により検知すると、孔版印刷装置１００は、第一搬送ローラ対３１及び３２を停止させ、印刷用紙２７を搬送経路上に待機させる。
そして、用紙有無検知センサ１６により第一給紙トレイ６の用紙切れを検知すると、孔版印刷装置１００は、第一給紙トレイ６から搬送された最終用紙（印刷用紙４）が、円筒状版胴３に巻装された孔版原紙１に形成された製版画像の１面目に対応することを条件に、待機させておいた印刷用紙２７を、円筒状版胴３に巻装された孔版原紙１に形成された製版画像の２面目に合わせて、第二搬送ローラ３３及び３４、並びにレジストローラ対１１及び１２を回転駆動させることにより搬送する。
【００３５】
なお、印刷用紙２７がレジストローラ対１１及び１２に搬送された後の孔版印刷装置１００における処理は、第一給紙トレイ６から搬送される印刷用紙４に対する処理と同様の処理となる。
【００３６】
次に、図２から図４を用いて、倍速モードにおける印刷処理に関連する第二給紙トレイ２６からの給紙動作と、給紙された印刷用紙２７の取り扱いに関して、フロー図を用いて説明する。
【００３７】
図２は、倍速モードが設定されたときの第二給紙トレイ２６からの給紙可否に関する判定処理を示すフロー図である。
ユーザにより倍速モードが設定されると（Ｓ１０１ Ｙｅｓ）、孔版印刷装置１００は図２に示される判定処理を開始する。
倍速モードが設定された状態（Ｓ１０１ Ｙｅｓ）で、第一給紙トレイ６内の用紙残量が、（第一給紙トレイ６の位置が最上段に位置（到達）することで）用紙少量検知センサ１７により「少量」と検知されると（Ｓ１０２ Ｙｅｓ）、孔版印刷装置１００は、第二給紙トレイ２６内にセットされている用紙のサイズから第二給紙トレイ２６からの給紙が可能であるか否かを判定する（Ｓ１０３）。
【００３８】
具体的には、孔版印刷装置１００は、ステップＳ１０３において、倍速モードにおける印刷処理時に設定されている用紙サイズ（第１給紙トレイ６から搬送されている用紙サイズ）と第二給紙トレイ２６にセットされている用紙サイズを比較し、第二給紙トレイ２６にセットされている用紙サイズが、倍速モードにおける印刷処理時に設定されている用紙サイズと同等、又はそれよりも大きい場合であって、かつ、倍速モードにおける印刷処理に使用可能な最大サイズを超えない場合に、第二給紙トレイ２６からの給紙が可能であると判定する（Ｓ１０３ Ｙｅｓ）。
【００３９】
逆に、第二給紙トレイ２６にセットされている用紙サイズが、倍速モードにおける印刷処理時に設定されている用紙サイズよりも小さい場合には、第二給紙トレイ２６より用紙を搬送してもプレスローラ等の押圧手段が押圧時にインキ等で汚れる。したがって、孔版印刷装置１００は、第二給紙トレイ２６からの給紙ができないと判定する。また、第二給紙トレイ２６にセットされている用紙サイズが倍速モードによる印刷処理に使用可能な最大サイズを超える場合は、孔版印刷装置１００は、同様に第二給紙トレイ２６からの給紙ができないと判定する（Ｓ１０３ Ｎｏ）。
【００４０】
なお、倍速モードが設定されていない場合（Ｓ１０１ Ｎｏ）、また、倍速モードが設定されていても（Ｓ１０１ Ｙｅｓ）、第一給紙トレイ６内の用紙残量が「少量」であると検知されていない場合（Ｓ１０２ Ｎｏ）には、孔版印刷装置１００は、第二給紙トレイ２６からの給紙可否に関する判定（Ｓ１０３）を保留する。
【００４１】
孔版印刷装置１００は、ステップＳ１０３において、第二給紙トレイ２６からの給紙が可能であると判定すると（Ｓ１０３ Ｙｅｓ）、第二給紙トレイ２６からの給紙準備の要否を示す第二給紙トレイ給紙準備フラグをセットする（Ｓ１０４）。（なお、給紙準備に関する動作の詳細は、図３を用いて後述する。）
また、孔版印刷装置１００は、ステップＳ１０３において、第二給紙トレイ２６からの給紙ができないと判定すると（Ｓ１０３ Ｎｏ）、倍速モードの設定を解除し（Ｓ１０５）、通常モードによる印刷処理に切り替える。
【００４２】
図３は、第二給紙トレイ２６からの給紙準備動作処理の手順を説明するフロー図であり、第二給紙トレイ給紙準備フラグがセットされると（図２ Ｓ１０４（図３ Ｓ２０１））、孔版印刷装置１００は図３に示される準備動作処理を開始する。
【００４３】
第二給紙トレイ給紙準備フラグがセットされると（Ｓ２０１ Ｙｅｓ）、孔版印刷装置１００は、第二給紙トレイ２６から給紙される印刷用紙２７の先端が縦搬送用紙先端検知センサ３５により検知されるまで（Ｓ２０３）、第一搬送ローラ対３１及び３２を回転駆動させ、（孔版印刷装置１００の内部に実装される搬送制御手段により）第二給紙トレイ２６にセットされた印刷用紙２７を搬送するよう制御する（給紙準備動作を実行する）（Ｓ２０２）。
なお、第二給紙トレイ給紙準備フラグがセットされていない場合には（Ｓ２０１ Ｎｏ）、孔版印刷装置１００は、第二給紙トレイ２６からの給紙準備動作を行うことなく、処理を終了する。
【００４４】
縦搬送用紙先端検知センサ３５により、第二給紙トレイ２６から給紙される用紙の先端が検知されると（Ｓ２０３ Ｙｅｓ）、孔版印刷装置１００は、第一搬送ローラ対３１及び３２の給紙搬送動作を停止させ（Ｓ２０４）、第二給紙トレイ２６から給紙される用紙を搬送経路上に待機させる。
【００４５】
即ち、第二給紙トレイ２６から搬送した用紙を搬送経路上の所定の位置に待機させておくことで、既存の孔版印刷機装置において給紙トレイ（第一給紙トレイ６）の用紙切れを検知してからでも、第二給紙トレイ２６からの給紙を版胴１回転における製版画像の２面目に間に合わせて搬送することができる。
また、本実施形態において、第二給紙トレイ２６から印刷用紙２７の搬送を開始し、印刷用紙２７を搬送経路上に待機させるまでを、給紙準備動作とする。
【００４６】
なお、第二給紙トレイ２６から給紙される用紙を搬送経路上に待機させる理由は、図１に示すように第二給紙トレイ２６の搬送経路が第一給紙トレイ６の搬送経路に比べて長いからである。即ち、第二給紙トレイ２６より印刷用紙２７を給紙するトリガとして、第一給紙トレイ６の用紙切れの検知を設定したのでは、第二給紙トレイ２６からの給紙を版胴１回転における製版画像の２面目の印刷に間に合わせることができないという問題が生じるためである。
【００４７】
孔版印刷装置１００は、第一搬送ローラ対３１及び３２の給紙準備動作を停止させると（Ｓ２０４）、セットされていた第二給紙トレイ給紙準備フラグ（図１ Ｓ１０４）をクリアし（Ｓ２０５）、第二給紙トレイ２６からの印刷用紙２７が搬送経路上に待機状態にあるか否かを示す第二給紙トレイ給紙動作フラグをセットする（Ｓ２０６）。
【００４８】
図４は、倍速モードにおける印刷処理に関連する第二給紙トレイ搬送経路上に待機させておいた用紙の取り扱い処理の手順を説明するフロー図であり、第二給紙トレイ給紙動作フラグがセットされると（図３ Ｓ２０６（図４ Ｓ３０１））、孔版印刷装置１００は図４に示される取り扱い処理を開始する。
【００４９】
ここで、第二給紙トレイ搬送経路上で待機させておいた用紙は、第一給紙トレイ６から搬送される最終用紙と版胴（１回転における製版画像の１面目／２面目）との関係により異なる取り扱いが必要なので、図４に示される処理手順を説明する前に、その点について、簡単に触れておく。（なお、詳細は図５を用いて後述する。）
【００５０】
倍速モードにおいては、第二給紙トレイ搬送経路上で待機させておいた用紙の取り扱いに関して、第一給紙トレイ６から搬送された最終用紙が版胴１回転における製版画像の１面目にあたる場合と第一給紙トレイ６から搬送された最終用紙が版胴１回転における製版画像の２面目にあたる場合の２つのケース（ケース１及び２）を想定（考慮）しておく必要がある。
【００５１】
ケース１では、第一給紙トレイ６から搬送された最終用紙が版胴１回転における製版画像の１面目にあたる場合で、第二給紙トレイ搬送経路上に待機させておいた用紙は、用紙有無検知センサ１６により第一給紙トレイの用紙切れが検知されると、孔版印刷装置１００により版胴１回転における製版画像の２面目に合わせて搬送される。
【００５２】
ケース２では、第一給紙トレイ６から搬送された最終用紙が版胴１回転における製版画像の２面目にあたる場合で、第二給紙トレイ搬送経路上に待機させておいた用紙は、孔版印刷装置１００により印刷完了時に使用されることなく排出される。また、この場合、孔版印刷装置１００は、第二給紙トレイ搬送経路上に待機させておいた用紙を排出することなく、次回の印刷時に使用してもよい。
【００５３】
以下、倍速モードにおける印刷処理に関連する第二給紙トレイ搬送経路上に待機させておいた用紙の取り扱い処理を、図４を参照して説明する。
第二給紙トレイ給紙動作フラグがセットされると（Ｓ３０１）、孔版印刷装置１００は、印刷処理が継続されるか否かを判定し（Ｓ３０２）、印刷処理が継続される場合（Ｓ３０２ Ｙｅｓ）には、第一給紙トレイ６内の用紙切れの有無を確認する（Ｓ３０３）。
【００５４】
他方、印刷処理が継続されない場合には（Ｓ３０２ Ｎｏ）、印刷処理の完了後に第二給紙トレイ搬送経路上に待機させておいた用紙を排出（Ｓ３１４）、又は次回の印刷時まで保持する（Ｓ３１３ 「保持」）。なお、孔版印刷装置１００は、第二給紙トレイ搬送経路上に待機させておいた印刷用紙２７を排出すると（Ｓ３１４）、第二給紙トレイ給紙動作フラグをクリアする（Ｓ３１２）。
【００５５】
孔版印刷装置１００は、ステップＳ３０３において、第一給紙トレイ６が用紙切れでないことを検知すると（Ｓ３０３ Ｎｏ）、ステップＳ３０２に戻り、印刷処理が継続されるか否かを再び判定する（Ｓ３０２）。
このように、印刷処理が継続される場合であって（Ｓ３０２ Ｙｅｓ）、かつ第一給紙トレイ６内が用紙切れでないことを検知した場合には（Ｓ３０３ Ｎｏ）、孔版印刷装置１００は、印刷処理の継続可否（Ｓ３０２）と第一給紙トレイ６内の用紙の有無（Ｓ３０３）を継続して交互に繰り返し確認する。
【００５６】
ステップＳ３０３において、第一給紙トレイ６内が用紙切れであることを検知すると（Ｓ３０３ Ｙｅｓ）、孔版印刷装置１００は、第一給紙トレイ６から搬送される最終用紙が版胴１回転における製版画像の１面目、又は２面目のどちらにあたるかを判定する（Ｓ３０４）。
なお、判定するにあたり、孔版印刷装置１００は、用紙有無検知センサ１６により用紙切れを検知したタイミングと、円筒状版胴３の回転角度より、第一給紙トレイ６から搬送される最終用紙が版胴１回転における製版画像の１面目、又は２面目のどちらに対応して印刷されるか（製版画像の１面目に対応して印刷されるか否か）を判定する判定手段を有している。
【００５７】
判定の結果、第一給紙トレイ６から搬送される最終用紙が版胴１回転における製版画像の１面目にあたると判定された場合（Ｓ３０４ 「版胴 １面目」）、孔版印刷装置１００は、版胴１回転における製版画像の２面目を印刷するタイミングに合うように（Ｓ３０５）、第二給紙トレイ搬送経路上に待機させていた用紙を搬送するよう制御する（Ｓ３０６）。第二給紙トレイ搬送経路上に待機させていた用紙を版胴１回転における製版画像の２面目に合うように搬送するよう制御すると（Ｓ３０６）、孔版印刷装置１００は、第二給紙トレイ給紙動作フラグをクリアする（Ｓ３０７）。
【００５８】
孔版印刷装置１００は、第二給紙トレイ給紙動作フラグをクリアすると（Ｓ３０７）、印刷処理が継続されるか否かを判定する（Ｓ３０８）。そして、印刷処理が継続されると判定した場合（Ｓ３０８ Ｙｅｓ）、孔版印刷装置１００は、倍速モードの設定を解除し（Ｓ３０９）、ユーザによる印刷命令に従って、通常モードにて印刷処理を継続する。一方、印刷処理が継続されないと判定した場合（Ｓ３０８ Ｎｏ）、孔版印刷装置１００は、印刷処理を終了する。
【００５９】
また、ステップＳ３０４において、第一給紙トレイ６から搬送される最終用紙が版胴１回転における製版画像の２面目にあたると判定された場合（Ｓ３０４ 「版胴 ２面目」）、孔版印刷装置１００は、印刷処理が継続されるか否かを判定する（Ｓ３１０）。そして、印刷処理が継続されると判定した場合（Ｓ３１０ Ｙｅｓ）、孔版印刷装置１００は、倍速モードの設定を解除し（Ｓ３１１）、第二給紙トレイ給紙動作フラグをクリアする（Ｓ３１２）。
ステップＳ３１０で印刷処理が継続されないと判定した場合（Ｓ３１０ Ｎｏ）、孔版印刷装置１００は、第二給紙トレイ搬送経路上に待機させていた用紙を排出するか、又は第二給紙トレイ搬送経路上に待機させた状態で保持するか判定する（Ｓ３１３）。第二給紙トレイ搬送経路上に待機させていた用紙を排出する場合（Ｓ３１３ 「排出」）、孔版印刷装置１００は、第二給紙トレイ搬送経路上に待機させていた用紙を排出（Ｓ３１４）した後に、第二給紙トレイ給紙動作フラグをクリアする（Ｓ３１２）。
【００６０】
一方、用紙を第二給紙トレイ搬送経路上に待機させた状態で保持する場合、孔版印刷装置１００は、その用紙を保持した状態（Ｓ３１３ 「保持」）で、印刷処理を終了する。
【００６１】
第二給紙トレイ搬送経路上に待機させた用紙が保持されている場合（Ｓ３１３ 「保持」）、その用紙が次回の倍速モードにおける印刷処理時に、版胴１回転における製版画像の２面目として使用可能であれば、孔版印刷装置１００は、第二給紙トレイ搬送経路上に保持されている用紙を搬送する。一方、その用紙が（異なる用紙サイズが選択された場合等）版胴１回転における製版画像の２面目として使用することができなければ、第二給紙トレイ搬送経路上に保持されている用紙を排出、又は継続して保持する。
【００６２】
用紙を継続して保持する場合、次の印刷時までに印刷サイズが変わることが有り得る。そのため、その用紙サイズが印刷サイズに適合するか否か再度判定する必要がある。具体的には、先ず、図２のステップＳ１０３における判定の結果から、孔版印刷装置１００は、第二給紙トレイ搬送経路上に保持されている用紙が倍速モードにおける印刷処理時に設定されている用紙サイズよりも大きいか否かを判定する。そして、倍速モードにおける印刷処理時に設定されている用紙サイズよりも大きい（第二給紙トレイ２６からの給紙が可能である）と判定すると（Ｓ１０３ Ｙｅｓ）、孔版印刷装置１００は、図４のステップＳ３０２より処理を続行する。
【００６３】
また、ステップＳ１０３において、第二給紙トレイ搬送経路上に保持されている用紙が倍速モードにおける印刷処理時に設定されている用紙サイズよりも小さい（第二給紙トレイ２６からの給紙ができない）と判定すると（Ｓ１０３ Ｎｏ）、孔版印刷装置１００は、第二給紙トレイ搬送経路上に保持されている用紙を排出する。なお、この場合、孔版印刷装置１００は、第二給紙トレイ搬送経路上に保持されている用紙を排出せずに、保持状態を継続してもよい。
【００６４】
なお、孔版印刷装置１００は、第二給紙トレイ搬送経路上に待機させた用紙（又は、待機状態で保持された用紙）を印刷に使用するか否かを判定する判定手段を有していてもよい。判定手段は、印刷処理が中断、又は終了した場合以外にも、待機状態で保持されている用紙が倍速モードにおける印刷処理時に設定されている用紙サイズよりも小さい場合等に、待機状態で保持されている用紙を不要と判定する。判定手段により不要と判定されると、孔版印刷装置１００は、第二給紙トレイ搬送経路上に待機させた用紙（又は、待機状態で保持された用紙）を排出するか、又は第二給紙トレイ搬送経路上に待機させた状態で保持する。
【００６５】
図５（図５（Ａ）〜（Ｄ））に、孔版印刷装置１００の倍速モードにおける印刷処理（及び、第二給紙トレイ搬送経路上で待機させておいた用紙に関する取り扱い）を示す。
各図５（Ａ）〜（Ｄ）に関して、上欄は第一給紙トレイ６、下欄は第二給紙トレイ２６を示し、また第一給紙トレイ６内にセットされた印刷用紙４、及び第二給紙トレイ２６内にセットされた印刷用紙２７に付された番号１又は２は、版胴１回転における製版画像の１面目、又は２面目により印刷されることを示している。また、第二給紙トレイ２６内の破線により示される印刷用紙２７は、第二給紙トレイより給紙され、第二給紙トレイ搬送経路上に待機させる用紙を示している。
【００６６】
図５（Ａ）は第一給紙トレイ６から搬送された最終用紙が版胴１回転における製版画像の１面目にあたる場合（第二給紙トレイ搬送経路上に待機させておいた用紙を版胴１回転における製版画像の２面目として搬送する場合）（図４ Ｓ３０４ 「版胴１面目」）であって、かつ印刷処理が継続される場合（図４ Ｓ３０８ Ｙｅｓ）を示している。
図５（Ａ）に示すように、第一給紙トレイ６が用紙切れになると（第一給紙トレイ６の用紙切れを用紙有無検知センサ１６により検知すると（図４ Ｓ３０３ Ｙｅｓ））、孔版印刷装置１００は、版胴１回転における製版画像の２面目に合わせて（図４ Ｓ３０５）第二給紙トレイ搬送経路上で待機させておいた用紙を搬送し（図４ Ｓ３０６）、倍速モードの設定を解除した上で（通常モードによる印刷処理に切り替えた上で）（図４ Ｓ３０９）印刷処理を継続する。
なお、倍速モードの設定を解除した後に継続される印刷処理では、孔版印刷装置１００は、第二給紙トレイ２６より用紙を搬送する。
【００６７】
図５（Ｂ）は第一給紙トレイ６から搬送された最終用紙が版胴１回転における製版画像の１面目にあたる場合（第二給紙トレイ搬送経路上に待機させておいた用紙を版胴１回転における製版画像の２面目として搬送する場合）（図４ Ｓ３０４ 「版胴１面目」）であって、かつ第二給紙トレイ搬送経路上に待機させておいた用紙の印刷により印刷処理が終了される場合（図４ Ｓ３０８ Ｎｏ）を示している。
図５（Ｂ）に示すように、第一給紙トレイ６が用紙切れになると（第一給紙トレイ６の用紙切れを用紙有無検知センサ１６により検知すると（図４ Ｓ３０３ Ｙｅｓ））、孔版印刷装置１００は、版胴１回転における製版画像の２面目に合わせて（図４ Ｓ３０５）第二給紙トレイ搬送経路上で待機させておいた用紙を搬送し（図４ Ｓ３０６）、印刷処理を終了する（図４ Ｓ３０８ Ｎｏ）。
【００６８】
図５（Ｃ）は第一給紙トレイ６から搬送された最終用紙が版胴１回転における製版画像の２面目にあたる場合（図４ Ｓ３０４ 「版胴２面目」）であって、かつ印刷処理が継続される場合（図４ Ｓ３１０ Ｙｅｓ）を示している。
図５（Ｃ）に示すように、版胴１回転における製版画像の２面目として第一給紙トレイ６から最終用紙が給紙されると（図４ Ｓ３０４ 「版胴２面目」）、第一給紙トレイは用紙切れ（図４ Ｓ３０３ Ｙｅｓ）になることから、孔版印刷装置１００は、倍速モードの設定を解除し（図４ Ｓ３１１）、第二給紙トレイ２６より用紙を搬送した上で印刷処理を継続する。
【００６９】
図５（Ｄ）は第一給紙トレイ６から搬送された最終用紙が版胴１回転における製版画像の２面目にあたる場合（図４ Ｓ３０４ 「版胴２面目」）であって、かつ第一給紙トレイ６から搬送された最終用紙の印刷により印刷処理が終了される場合（図４ Ｓ３１０ Ｎｏ）を示している。
図５（Ｄ）に示すように、版胴１回転における製版画像の２面目として第一給紙トレイ６から最終用紙が搬送されると（図４ Ｓ３０４ 「版胴２面目」）、孔版印刷装置１００は、印刷処理を終了する（図４ Ｓ３１０ Ｎｏ）。この場合、孔版印刷装置１００は、第二給紙トレイ搬送経路上で待機させておいた用紙を排出（図４ Ｓ３１４）、又は第二給紙トレイ搬送経路上に待機させた状態で保持する（図４ Ｓ３１３ 「保持」）。
【００７０】
以上、説明したように、本発明の実施形態に係る孔版印刷装置によれば、第一給紙トレイ６にセットされた用紙が無くなるまで（第一給紙トレイ６にセットされた最後の１枚まで）、倍速モードによる印刷処理を実行することができる。
即ち、孔版印刷装置１００は、第一給紙トレイ６から搬送された最終用紙が版胴１回転における製版画像の1面目の印刷にあたる場合であっても、適合したサイズの印刷用紙２７を第二給紙トレイ２６から予備的に搬送させ、搬送経路上に待機させておくことで、版胴１回転における製版画像の２面目の印刷に間に合わせて搬送することができる。
これにより、プレスローラ５が孔版原紙１に接触し、孔版原紙表面に供給されたインキにより汚れるという問題も解消される。
また、孔版印刷装置１００は、ユーザにより命令された部数の印刷が完了する前に、第一給紙トレイ６が用紙切れになった場合であっても、第二給紙トレイ２６より印刷用紙２７を搬送することで、ユーザの操作を介在させることなく印刷処理を継続させることができる。
【符号の説明】
【００７１】
１…孔版原紙、３…円筒状版胴、５…プレスローラ、６…第一給紙トレイ、１１…下レジストローラ、１２…上レジストローラ、１６…用紙有無検知センサ、１７…用紙少量検知センサ、２６…第二給紙トレイ、３５…縦搬送用紙先端検知センサ、１００…孔版印刷装置、２００…第一給紙部、３００…第二給紙部、４００…印刷部、５００…排紙部。
【先行技術文献】
【特許文献】
【００７２】
【特許文献１】特許公開２００２−１９２８２５号公報
【特許文献２】特許公開２００３−２３７０３０号公報
【図１】
2015160419.tif 000003
【図２】
2015160419.tif 000004
【図３】
2015160419.tif 000005
【図４】
2015160419.tif 000006
【図５】
2015160419.tif 000007